(57)【要約】【課題】  授乳期の女性の乳腺への刺激を低減することができ、しかも授乳時にカップ部を開きやすくして、モールドカップ部が乳児の顔に当りづらくすることができる授乳用ブラジャーを提供すること。【解決手段】  背面が長さを選択して着脱可能とされたアンダー部７０と、前面に形成されたカップ部２０，２１と、前側から後側を連接する肩紐部２６からなり、カップ部２０，２１の上端が、肩紐部２６に着脱可能とされることで乳房１１，１２を露出可能とされた授乳用ブラジャー１０において、カップ部２０，２１の内面側には、立体成形された所定厚みを有するモールドカップ部１００，１０１が形成されており、カップ部２０，２１の外面側であって、少なくともモールドカップ部１００，１０１の上縁から延伸されて、伸縮性を有する伸縮部２０Ｂが形成されている。【選択図】  図４
2005187955.tif 000002
【特許請求の範囲】
【請求項１】
背面が長さを選択して着脱可能とされたアンダー部と、前面に形成されたカップ部と、前側から後側を連接する肩紐部からなり、前記カップ部の上端が、前記肩紐部に着脱可能とされることで乳房を露出可能とされた授乳用ブラジャーにおいて、
前記カップ部の内面側には、立体成形された所定厚みを有するモールドカップ部が形成されており、前記カップ部の外面側であって、少なくとも前記モールドカップ部の上縁から延伸されて、伸縮性を有する伸縮部が形成されていることを特徴とする授乳用ブラジャー。
【請求項２】
前記アンダー部と前記カップ部の境界となる前記カップ部の下縁に沿って、袋状とされた収容部に収容されたワイヤー部が配置されており、各前記カップ部の間に位置する内側アンダー部は、前記ワイヤー部の内端部よりも延伸されており、前記モールドカップ部の内端部は、前記ワイヤー部の端部近傍に固定されていることを特徴とする請求項１に記載の授乳用ブラジャー。
【請求項３】
前記モールドカップ部の内端部と外端部を結んだ周縁部の略中間領域が、ドーム状とされた前記モールドカップ部の頂部に対して、最も近い位置を通るように配置されていることを特徴とする請求項１に記載の授乳用ブラジャー。
【請求項４】
前記伸縮部は、前記モールドカップ部の外面を覆うように配置されており、前記モールドカップ部と略同等の立体成形がなされていることを特徴とする請求項１に記載の授乳用ブラジャー。
【発明の詳細な説明】
【技術分野】
【０００１】
本発明は、立体成形されたモールドカップ部を備える授乳用ブラジャーに関する。
【背景技術】
【０００２】
ドーム状に立体成形された１ｍｍ乃至５ｍｍ程度の厚みを有し、カップとして機能するモールドカップ部を有するブラジャーの使用が増加している。このようなモールドカップ部を有するブラジャーは、立体裁断縫製により立体的な形状を形成されたブラジャーに比べて、縫製に伴う縫い目が無いこともあり表面の凹凸性が少なく、ブラジャーの上に着る服などに凹凸が浮き出ないことや、装着感の良さでその使用が増加しているのである。
妊産婦用としても、このようなモールドカップ部を有する授乳用ブラジャーが提案されている（例えば特許文献１参照）。
【０００３】
【特許文献１】実開平４−１０６３０３号公報（第１頁、図１）
【発明の開示】
【発明が解決しようとする課題】
【０００４】
ところが、特許文献１のモールドカップ部を有するブラジャーを使用すると、次のような問題がある。特許文献１に開示されているブラジャーでは、左右のカップがモールド加工を施してあるのであり、このモールド加工されたカップは乳房全体を覆うよう構成されたものである。そしてこのモールド加工されたカップは成形されているために比較的硬い素材であって伸縮性が少ないものであり、特にそのモールド加工されたカップの周縁部が、授乳期の女性の乳腺を圧迫し、不要に刺激するという問題があった。
また、モールド加工されたカップ自体を開いて乳房を露出させて授乳をする際に、モールド成形されたカップは硬い材料であるため開きづらく、その開き方が小さいとカップの周縁部が例えば乳児の顔に触れてしまうこともあり得る。
そこで本発明は上記課題を解消し、乳頭を含む乳房を保持しつつ、授乳期の女性の乳腺への刺激を低減することができ、しかも授乳時にカップ部を開きやすくして、モールドカップ部が乳児の顔に当りづらくすることができる授乳用ブラジャーを提供することを目的としている。
【課題を解決するための手段】
【０００５】
上記目的は、第１の発明によれば、背面が長さを選択して着脱可能とされたアンダー部と、前面に形成されたカップ部と、前側から後側を連接する肩紐部からなり、前記カップ部の上端が、前記肩紐部に着脱可能とされることで乳房を露出可能とされた授乳用ブラジャーにおいて、前記カップ部の内面側には、立体成形された所定厚みを有するモールドカップ部が形成されており、前記カップ部の外面側であって、少なくとも前記モールドカップ部の上縁から延伸されて、伸縮性を有する伸縮部が形成されていることを特徴とする授乳用ブラジャーにより、達成される。
【０００６】
第１の発明の構成によれば、カップ部の内面には、立体成形されたモールドカップ部が形成されている。このカップ部の外面側であって、少なくともモールドカップ部の上縁から延伸されるようにして、伸縮性を有する伸縮部が形成されている。
これにより、モールドカップ部の上縁に沿って伸縮部があるために、乳腺への刺激を低減することができる。しかも、カップ部の上縁が伸縮部であるので、授乳時に乳房を露出する際にカップ部を開きやすい。そしてカップ部を開いた際に、伸縮部があることでモールドカップ部は従来に比べて比較的小さく作っておくことができるので、モールドカップ部の周縁部が乳児の顔に当りづらくすることができる。
【０００７】
第２の発明は、第１の発明の構成において、前記アンダー部と前記カップ部の境界となる前記カップ部の下縁に沿って、袋状とされた収容部に収容されたワイヤー部が配置されており、各前記カップ部の間に位置する内側アンダー部は、前記ワイヤー部の内端部よりも延伸されており、前記モールドカップ部の内端部は、前記ワイヤー部の端部近傍に固定されていることを特徴とする。
【０００８】
第２の発明の構成によれば、アンダー部とカップ部の境界となるカップ部の下縁に沿って、袋状とされた収納部に収容されたワイヤー部が配置されている。カップ部の間に位置する内側アンダー部は、ワイヤー部の内端部より延伸されており、モールドカップ部の内端部はワイヤー部の端部近傍に固定されている。
これにより、特に圧迫を受ける乳房の内側の両方の乳腺を避けるようにしてモールドカップ部を配置するとともに、硬いワイヤー部がカップ部をめくる動きを妨げないためカップ部が開閉しやすくなる。
【０００９】
第３の発明は、第１の発明の構成において、前記モールドカップ部の内端部と外端部を結んだ周縁部の略中間領域が、ドーム状とされた前記モールドカップ部の頂部に対して、最も近い位置を通るように配置されていることを特徴とする。
【００１０】
第３の発明の構成によれば、モールドカップ部の内端部と外端部を結んだ周縁部の略中間領域が、ドーム状とされているモールドカップ部の頂部に対して最も近い位置を通る。
これにより、モールドカップ部の周縁部は、ドーム状の頂部からの距離が小さくできるので、内側（乳房側）に近づく方向の曲面端部が内側に向かう傾向を抑えて、乳房上方への圧迫を防ぐことができる。
【００１１】
第４の発明は、第１の発明の構成において、前記伸縮部は、前記モールドカップ部の外面を覆うように配置されており、前記モールドカップ部と略同等の立体成形がなされていることを特徴とする。
【００１２】
第４の発明の構成によれば、伸縮部はモールドカップ部の外面を覆うように配置されている。
これにより、伸縮部の全面によってモールドカップ部を全体的に覆って保持することができ、しかもモールドカップ部の形状に沿った形状とされることで、外観上、授乳用ブラジャーを目立たなくすることができる。
【発明の効果】
【００１３】
以上説明したように、本発明によれば、乳房を確実に保持しつつ、授乳期の女性の乳腺への刺激を低減することができ、しかも授乳時にカップ部を開きやすくして、モールドカップ部が乳児の顔に当りづらくすることができる。
【発明を実施するための最良の形態】
【００１４】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１５】
図１と図２は、本発明の授乳用ブラジャーの好ましい実施形態を示している。
図１では、使用者Ｍが授乳用ブラジャー１０を装着している状態を示しており、図２では、使用者Ｍが一方の乳房を露出して授乳可能な状態の一例を示している。
使用者Ｍの左右の乳房１１，１２は、授乳用ブラジャー１０により保持されるようになっている。授乳用ブラジャー１０は、右側のカップ部２０と左側のカップ部２１と、アンダー部７０と、各左右のストラップ部２６，２６を有している。ストラップ部２６，２６は、肩紐部の一例である。
右側のカップ部２０と左側のカップ部２１は、それぞれ対応する乳首１１Ａ，１２Ａを含む乳房１１，１２を下側から支えて覆うだけではなく、それぞれ任意に露出可能になっている。
【００１６】
図３は、授乳用ブラジャー１０の表面側を示す展開図であり、図４は、授乳用ブラジャー１０の裏面側を示す展開図である。
図３と図４を参照すると、アンダー部７０は、右側の後ろ身頃部２４と左側の後ろ身頃部２５と、前面部７１を有している。
前面部７１は、後で説明する右側のカップ部２０と左側のカップ部２１の下側に位置しており、前面部７１は、例えばレース状の材料やサテンネット、パワーネット、２ＷＡＹ素材等のストレッチ素材により作られている。
【００１７】
右側の後ろ身頃部２４は、前面部７１の外側縁部３０に縫合されている。左側の後ろ身頃部２５は、前面部７１の外側縁部３１に縫合されている。外側縁部３０，３１には、それぞれワイヤー部７３，７３が設けられている。このワイヤー部７３，７３は、弾性変形可能な例えばプラスチックの平板状の部材を縫いこんだものである。ワイヤー部７３，７３は、図３におけるＺ方向（上下方向）に沿って配置されており、カップ部２０，２１の形状を保持し、身体へのフィット性を高めるものである。
【００１８】
アンダー部７０の一部分を縫製する後ろ身頃部２４，２５は、少なくともＴ方向に伸縮可能な材質、例えばサテンネット、パワーネット、２ＷＡＹ素材等のストレッチ素材等により作られている。しかし、後ろ身頃部２４，２５は、Ｔ方向と直交する方向に伸びる２ＷＡＹ素材等のストレッチ素材であってももちろん構わない。
【００１９】
右側の後ろ身頃部２４の自由端側には、複数のフック２４Ａが設けられている。左側の後ろ身頃部２５の自由端側には、複数のループ２５Ａが設けられている。
ループ２５Ａは、フック２４Ａの受け具となる部分である。これらのループ２５Ａが、左側の後ろ身頃部２５の長さ方向に関して、例えば四列程度設けられている。このフック２４Ａをいずれかの列のループ２５Ａに引掛けることにより、右側の後ろ身頃部２４と左側の後ろ身頃部２５は、着脱可能に連結することができる。
【００２０】
右側の後ろ身頃部２４と左側の後ろ身頃部２５の長さは、使用者Ｍの体型及び体型の変化に応じて調整可能になっている。このループ２５Ａとフック２４Ａは、後ろ身頃部の長さ調整部２９を構成している。なお、長さ調整部２９としては、この他にも面テープ等の長さを調整可能な各種調整具を使用してもよい。
【００２１】
次に、図３と図４に示すストラップ部２６，２６について説明する。
左右のストラップ部２６は、帯状部材２６Ａと別の帯状部材２６Ｂそして接続部材２６Ｃを有している。
各帯状部材２６Ａの一端部２６Ｄは、後ろ身頃部２４，２５の自由端側に達している。各帯状部材２６Ａの他端部２６Ｅは、接続部材２６Ｃに連結されている。帯状部材２６Ｂの一端部２６Ｆは、接続部材２６Ｃに連結されている。各帯状部材２６Ｂの他端部２６Ｇは、モールドカップ部１００，１０１の下部側に縫合されている。
【００２２】
各帯状部材２６Ａは、接続部材２６Ｃの付近において長さ調整部２６Ｈを有している。
これによって、使用者Ｍの体型に応じて、ストラップ部２６の帯状部材２６Ａの長さは、長さ調整部２６Ｈを調整することにより長さ調整を行うことができる。
接続部材２６Ｃは、例えばプラスチックにより作られている。
【００２３】
次に、図３と図４を参照しながら、右側のカップ部２０と左側のカップ部２１の構造について説明する。
右側のカップ部２０と左側のカップ部２１は、前面部７１の上部に配置されている。この前面部７１は、カップ部のアンダー部分とも呼んでいる。
右側のカップ部２０と左側のカップ部２１の少なくとも上縁側は、それぞれ伸縮性を有する素材により作られている。ここでは左右のカップ部２０，２１は全体が伸縮性を有する素材によって形成されており、モールドカップ部１００，１０１の全面を覆うようにして、しかもモールドカップ部１００，１０１の外面側に配置されている。右側のカップ部２０の下端２０Ａは、収容部８０側に縫合されている。右側のカップ部２０の上端側は伸縮部２０Ｂとなっている。
つまり、図５に示すように最外層の各カップ部２０，２１は伸縮部２０Ｂで形成されており、その内側にモールドカップ部１００，１０１が肌接触面となる裏地１００Ａ，１０１Ａと積層されて配置されている。そして、カップ部２０，２１とモールドカップ部１００，１０１はワイヤー部９０が配置された下側（下端２０Ａ側）で一体に縫製されており、伸縮部２０Ｂとモールドカップ部１００，１０１の上側は一体とされていない構成とされている。このようにモールドカップ部１００，１０１は、ワイヤー部９０の両端部近傍となる位置で各カップ部２０，２１に固定されている。
【００２４】
同様にして左側のカップ部２１の下端２１Ａは、収容部８０側に縫合されている。左側のカップ部２１の上端側は伸縮部２０Ｂとなっている。
この伸縮部２０Ｂ，２０Ｂはそれぞれ略三角形状に形成された部分である。この伸縮部２０Ｂは、モールドカップ部１００，１０１よりも上方Ｚ１方向に伸びて形成されている部分である。
伸縮部２０Ｂの先端部分２０Ｄには、メス部材３９０が設けられている。
【００２５】
図６は、このメス部材３９０と、既に説明した接続部材２６Ｃの形状例を示している。接続部材２６Ｃは、オス部材９３を有している。このオス部材９３は、接続部材２６Ｃから突出して形成された爪状の部分である。メス部材３９０は、穴９４を有している。接続部材２６Ｃは、ストラップ部２６の帯状部材２６Ａと、帯状部材２６Ｂをそれぞれ連結している部材である。メス部材３９０と接続部材２６Ｃのオス部材９３は、連結具１３０を構成している。
これにより、図３と図６に示すように、伸縮部２０Ｂは、メス部材３９０とオス部材９３を用いて、接続部材２６Ｃ側にそれぞれ着脱可能に連結することができるようになっている。図６（Ａ）では、連結具１３０のメス部材３９０とオス部材９３は離れた状態であるが、図６（Ｂ）では、メス部材３９０とオス部材９３は連結されている。
【００２６】
図３に示す右側のカップ部２０と左側のカップ部２１は、それぞれ例えば二層構造のものであり、一例として外側がサテンネットやトリコット、パワーネット、レース、２ＷＡＹ素材等のストレッチ素材に、薄いポリウレタンフォームを挟むようにトリコット等でサンドイッチ状にラミネートしたもの等が積層されることにより作られており、後述する各モールドカップ部１００，１０１と略同等の曲率となるよう、モールド成形等の立体成形が施されている。なお、各カップ部２０，２１を二層構造とはせず、ストレッチ素材のみの単層で形成しても良く、伸縮性を有するならば積層されても良い。
右側のカップ部２０と左側のカップ部２１は、少なくとも伸縮部２０Ｂ，２０Ｂが伸縮可能になっており、ここでは全体が伸縮可能とされている。
【００２７】
次に、モールドカップ部１００，１０１について、図３と図４を参照しながら説明する。
モールドカップ部１００，１０１は、図３と図４に示すように右側のカップ部２０と左側のカップ部２１の内面側にそれぞれ配置されている。モールドカップ部１００，１０１は、１ｍｍ乃至５ｍｍ程度の厚みを有するクッション層が立体成形されたものであり、立体成形可能な材質、例えばポリウレタンにより作られており、好ましくは変質を防ぐためにポリウレタンを挟むようにトリコット等でサンドイッチ状にラミネートした積層材料が使用されている。
モールドカップ部１００，１０１の下縁は、収容部８０，８０にそれぞれ縫合することで固定されている。
モールドカップ部１００，１０１の上縁である周縁部１２０は自由端になっていて、上方Ｚ１方向に沿って凸形状に形成されている曲面部分である。
【００２８】
図４に示すように、周縁部１２０の内端部１２０Ａは、収容部８０内のワイヤー部９０の内端部９０Ａに略対応した位置にある。周縁部１２０の外端部１２０Ｂは、ワイヤー部９０の外端部９０Ｂの付近に位置している。
【００２９】
モールドカップ部１００の周縁部１２０の中間領域１２３が、図３に示すように、ドーム状とされたモールドカップ部１００，１０１の頂部に対して最も近い位置を通るように配置されている。
このようにすることにより、ドーム状の頂部からの距離が小さくできるので、内側（乳房側）に近づく方向の曲面端部が内側に向かう傾向を抑えて、乳房の上方への圧迫を防ぐことができる。
【００３０】
次に、図４に示す左右の収容部８０とワイヤー部９０について説明する。
収容部８０とワイヤー部９０は、略上方Ｚ１方向と反対方向の下方に向けて凸となるように湾曲して形成されている。ワイヤー部９０は収容部８０の中に収容されている。
【００３１】
左右の収容部８０は、ワイヤー部９０の全長に渡って収容できるような袋状形状になっている。この収容部８０とワイヤー部９０は、前面部７１の内側アンダー部１４０とカップ部２０，２１との境界となるカップ部２０，２１の下縁に沿ってそれぞれ配置されている。
【００３２】
右側のカップ部２０と左側のカップ部２１の間に位置する内側アンダー部１４０は、図４に示しているが、ワイヤー部９０の内端部９０ＡよりもＺ１方向に沿って延伸されており、内側アンダー部１４０の上端に伸縮部９０Ａの内端部が配置されている。つまり、収容部８０の内端部よりもワイヤー部９０の内端部９０Ａが１ｃｍ程度短く構成されている。モールドカップ部１００，１０１の内端部１２０Ａは、上述したようにワイヤー部９０の内端部９０Ａの近傍に固定されている。
また、同様にワイヤー部９０の外端部９０Ｂも、収容部８０の外端部よりも１ｃｍ程度短く構成されて、モールドカップ部の外端部１２０Ｂがワイヤー部の外端部９０Ｂ近傍に固定されている。
これにより、特に圧迫を受ける乳房の内側の両方の乳腺を避けるようにしてモールドカップ部１００，１０１を配置するとともに、カップ部２０，２１が開閉しやすくなる。
ワイヤー部９０，９０は、例えばプラスチック製のワイヤーを用いることができる。
【００３３】
次に、上述した授乳用ブラジャー１０の使用形態の一例について説明する。
図１では一例として左右の乳房１１，１２が、授乳用ブラジャー１０の右側のカップ部２０と左側のカップ部２１により完全に覆われている例を示している。
この状態では、右側の乳房１１は右側のカップ部２０とモールドカップ部１００により完全に覆うようにして保持され、左側の乳房１２は左側のカップ部２１とモールドカップ部１０１により完全に覆うようにして保持されている。
この状態では、モールドカップ部１００，１０１の上縁に沿って伸縮部２０Ｂ，２０Ｂがあるために、乳房に不要な圧力をかけることなく、乳腺への刺激を低減することができる。しかも、カップ部２０，２１の上縁が伸縮部２０Ｂ，２０Ｂであるので、授乳時に乳房を露出する際にカップ部２０，２１が開きやすい。そしてカップ部２０，２１を開いた際に、モールドカップ部１００，１０１は従来に比べて比較的小さく作っておくことができるので、モールドカップ部１００，１０１が乳児の顔に当りづらくすることができる。
【００３４】
次に、図２は、例えば左側の乳房１２を露出して授乳を行う状態の例を示している。
この場合には、左側のカップ部２１のメス部材３９０をオス部材９３から使用者Ｍが取り外して、使用者Ｍは、左側のカップ部２１をめくることで左側のモールドカップ部１０１の下縁が一体とされているため、左側のカップ部２１とモールドカップ部１０１が一緒にＲ方向にめくられる。これによって、簡単かつ確実に左側の乳房１２は露出することができる。
左側のカップ部２１の上縁部分が伸縮部２０Ｂとなっていて、この伸縮部２０Ｂは開きやすい。しかもこの伸縮部２０Ｂとともに、内側のモールドカップ部１０１も硬く成形されたものであっても、Ｒ方向に簡単に開くことができる。これは、伸縮部２０Ｂを有する左側のカップ部２１とモールドカップ部１０１の下縁が一体とされているためだけでなく、モールドカップ部１０１の周縁部１２０を、比較的小さく作っておくことができ、図３のＺ１方向に沿ってあまり突出していないことや、めくれづらいワイヤー部９０の内端部９０Ａとモールドカップ部１０１の内端部１２０Ａが近接した位置に固定されていることによって、容易にモールドカップ部１０１も移動するためである。
【００３５】
図４に示すモールドカップ部１０１の周縁部１２０は、内端部１２０Ａに比べて、柔らかい素材である内側アンダー部１４０の上端部１４０Ａが延伸されているとともに、モールドカップ部１０１の内端部１２０Ａがワイヤー部９０の内端部９０Ａの近傍に固定されるよう配置されていることや、外端部側も同様の構成とされていることとあいまって、特に圧迫を受けやすい乳房の内側上方の乳腺を避けるようにしてモールドカップ部１０１が配置できる。
このことから、モールドカップ部１０１が存在していても、乳房の内側の乳腺への刺激を避けることができるとともに、左側のカップ部２１の伸縮部２０Ｂとともにモールドカップ部１０１を開閉しやすくしている。
【００３６】
上述したように、左側のカップ部２１とモールドカップ部１０１を開く動作と効果は、右側のカップ部２０とモールドカップ部１００を開く場合においても同様である。この場合には、図２において、やはり右側のカップ部２０とモールドカップ部１００をＲ１方向に開けば、右側の乳房１１を露出して授乳状態にすることができる。
【００３７】
ところで本発明は、上記実施の形態に限定されるものではない。
上述した実施の形態では、図３と図４に示すように伸縮性のある右側のカップ部２０と左側のカップ部２１は、それぞれ対応するモールドカップ部１００，１０１の外面側にモールドカップ部の全面を覆うようにして位置している。そして、カップ部２０，２１はモールドカップ部１００，１０１の下縁からその周縁部１２０を越えて、上方Ｚ１方向に伸びた形状になっている。
【００３８】
本発明はこれに限らず、例えばカップ部２０，２１が、モールドカップ部１００，１０１の外面側において、各カップ部２０，２１の伸縮部２０Ｂがモールドカップ部１００，１０１の上縁に沿って縫合されている構造のものであってもよい。つまり、カップ部はモールドカップ部の外面全体を覆っておらず、上縁に沿って配置されていてもよい。
また、長さ調整手段２９が背中側に配置されて授乳用ブラジャー１０を着脱するよう構成されているが、いわゆるフロントホックといわれる、前面部７１の中間領域で開閉を行うことで授乳用ブラジャー１０を着脱するよう構成しても良い。
さらに、モールドカップ部１００，１０１が乳首１１Ａ，１２Ａを覆うように構成されているが、モールドカップ部１００，１０１の周縁部１２０が乳首１１Ａ，１２Ａの下側に配置されるよう構成しても良い。
尚、図４に示すモールドカップ部１００，１０１の内面側には、必要に応じて母乳パッドを着脱可能に配置することも可能である。この母乳パッドを配置することにより、母乳パッドは乳房からの母乳を吸収することができる。
【００３９】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【図面の簡単な説明】
【００４０】
【図１】本発明の授乳用ブラジャーの装着例を示しており、授乳用ブラジャーが左右の乳房を覆って保持している状態を示す斜視図。
【図２】一方の乳房を露出して授乳可能な状態を示す斜視図。
【図３】本発明の授乳用ブラジャーの表面側を示す展開図。
【図４】本発明の授乳用ブラジャーの裏面側を示す展開図。
【図５】図３における授乳用ブラジャーのＡ−Ａ線における断面図。
【図６】連結具の好ましい実施形態を示す斜視図。
【符号の説明】
【００４１】
１０・・・授乳用ブラジャー、２０・・・右側のカップ部、２１・・・左側のカップ部、２０Ｂ・・・伸縮部、２４・・・右側の後ろ身頃部、２５・・・左側の後ろ身頃部、２６・・・ストラップ部（肩紐部の一例）、７０・・・アンダー部、１００，１０１・・・モールドカップ部
【図１】
2005187955.tif 000003
【図２】
2005187955.tif 000004
【図３】
2005187955.tif 000005
【図４】
2005187955.tif 000006
【図５】
2005187955.tif 000007
【図６】
2005187955.tif 000008